(57)【要約】【課題】励磁コイル１４の温度特性に対応して励磁コイル１４の出力を補正する補正情報を短時間で取得することができるセンサ補正情報取得方法および回転角度検出装置１を提案する。【解決手段】センサ補正情報取得方法として、励磁コイル１４を有する回転角度検出装置１に温度を検知する温度センサ１７を備えさせておき、前記励磁コイル１４のコイル出力信号に基づく回転角度信号を取得するステップＳ１と、前記回転角度信号の出力時における前記温度センサ１７の温度出力を取得するステップＳ１とを有し、少なくとも前記ステップＳ１を、回転角度検出装置１の温度を低温側目標温度から高温側目標温度まで連続的に変化させる間に複数回実行する。【選択図】図３
2007292738.tif 000002
【特許請求の範囲】
【請求項１】
補正対象センサを有するワークに温度を検知する温度センサを備えさせておき、
前記補正対象センサのセンサ出力を取得するセンサ出力取得工程と、
前記センサ出力の出力時における前記温度センサの温度出力を取得する温度出力取得工程を有し、
少なくとも前記センサ出力取得工程と前記温度出力取得工程とを、前記ワークの温度を所定範囲で連続的に変化させる間に複数回実行する
センサ補正情報取得方法。
【請求項２】
前記所定範囲は、予め設定した低温側の目標温度である低温側目標温度から、予め設定した高温側の目標温度である高温側目標温度までの範囲とする
請求項１記載のセンサ補正情報取得方法。
【請求項３】
前記補正対象センサが本来出力すべき基準出力と、前記センサ出力と、前記温度出力とに基づいて、前記センサ出力を補正する補正情報を算出する補正情報算出工程を有する
請求項１または２記載のセンサ補正情報取得方法。
【請求項４】
補正情報作成指示の入力を受け付ける入力手段と、
補正の対象となるセンサ出力を行う補正対象センサと、
前記センサ出力の出力時に温度出力を行う温度センサと、
前記補正情報作成指示が入力された場合に前記センサ出力と前記温度出力とを取得する出力取得手段と、
前記センサ出力を前記温度出力に応じて補正する補正情報を記憶する記憶手段と、
前記補正情報作成指示が入力されていない場合に前記補正対象センサによるセンサ出力に前記補正情報による補正をかける補正実行手段とを備えた
検出装置。
【請求項５】
前記温度センサを前記補正対象センサの近傍に備えた
請求項４記載の検出装置。
【請求項６】
前記補正対象センサが本来出力すべき基準出力と、前記センサ出力と、前記温度出力とに基づいて、前記補正情報を算出する補正情報算出手段を備えた
請求項５記載の検出装置。
【発明の詳細な説明】
【技術分野】
【０００１】
この発明は、例えば回転センサや圧力センサ等のセンサの出力を環境温度の変化に対応して補正するための補正情報を取得するようなセンサ補正情報取得方法、および前記補正情報を利用する検出装置に関する。
【背景技術】
【０００２】
従来、回転位置を検知する回転センサや、圧力を検知する圧力センサなどの種々のセンサが提供されている。これらのセンサは、自身の温度によって出力特性が変化するという性質を有している。このため、温度による出力特性の変化を補正することで、温度変化による影響を防止して安定した出力を行う温度補償が行われている。
【０００３】
このような温度補償の例として、被検出物の回転とともにコイルとの重合面積が徐変する形状を有する磁性体を用いて、コイルのインダクタンスを変化させ、この変化に基づいて被検出物の回転角度を検出する回転位置検出器が提案されている（特許文献１参照）。この回転位置検出器は、コイルの近傍に負温度特性のサーミスタを備え、このサーミスタによって温度変化による出力値の変動を少なくするものである。
【０００４】
このようにサーミスタを利用して温度変化の出力値の変動を少なくするためには、現在の温度に対応するコイルの出力特性をメモリから取得し、この出力特性に基づいてコイルの出力値を補正し、補正した値を出力値として出力する必要がある。このため、温度によるコイルの出力特性を予め測定してメモリに記憶しておく必要がある。
【０００５】
一方、温度による出力特性を予め測定する方法として、恒温槽内にセンサと該センサの検査用治具を収納し、恒温槽内を所定温度にして検査用治具によりセンサの出力値を取得する方法がある。この方法は、恒温槽内の雰囲気温度を上昇または下降させて目標温度とし、その後検査用治具が目標温度となるまで雰囲気温度を維持して、ようやく出力特性を取得できるため、非常に時間のかかるものである。
【０００６】
この時間を短縮する方法として、圧力センサの温度特性検査における温度制御方法が提案されている（特許文献２参照）。この温度制御方法は、恒温槽内の雰囲気温度に略等しい温度の空気を検査用治具内に循環させることで、検査用治具を所定の検査温度に短時間で設定できるとされている。
【０００７】
しかし、このようにして検査用治具の温度の安定化を短時間にできるようにしても、図８に示すように、恒温槽内で一定温度を維持する時間ｔ’が生じることは避けられず、温度特性の取得に時間を要するものであった。そして、このような温度特性の取得時間の短縮は、例えば−４０℃から＋１２５℃までの範囲で温度補償が要求される自動車の部品のように、広い温度範囲で多数測定して温度特性を取得する必要がある場合に、強く望まれるものであった。
【０００８】
【特許文献１】特開２００１−２９６１０３号公報
【特許文献２】特開平９−１７８５９８号公報
【発明の開示】
【発明が解決しようとする課題】
【０００９】
この発明は、上述の問題に鑑み、センサの温度特性に対応してセンサの出力を補正する補正情報を短時間で取得することができるセンサ補正情報取得方法および検出装置を提案することを目的とする。
【課題を解決するための手段】
【００１０】
この発明は、補正対象センサを有するワークに温度を検知する温度センサを備えさせておき、前記補正対象センサのセンサ出力を取得するセンサ出力取得工程と、前記センサ出力の出力時における前記温度センサの温度出力を取得する温度出力取得工程とを有し、少なくとも前記センサ出力取得工程と前記温度出力取得工程とを、前記ワークの温度を所定範囲で連続的に変化させる間に複数回実行するセンサ補正情報取得方法であることを特徴とする。
【００１１】
前記補正対象センサは、回転センサや圧力センサなど、適宜のセンサで構成することができる。  
前記所定範囲は、予め設定した低温側の目標温度である低温側目標温度から予め設定した高温側の目標温度である高温側目標温度までの範囲、常温から低温側目標温度までの範囲、高温側目標温度から常温までの範囲、あるいはこれらの複数で構成することができる。
【００１２】
この発明により、温度に対応して補正対象センサの出力を補正する補正情報を短時間で取得することができる。つまり、連続的に温度を変化させてその間に温度出力とセンサ出力を取得するため、従来のように一定温度で安定させる必要がなく、この一定温度で安定させるために要していた時間を短縮することができる。
【００１３】
この発明の態様として、前記所定範囲は、予め設定した低温側の目標温度である低温側目標温度から、予め設定した高温側の目標温度である高温側目標温度までの範囲とすることができる。
【００１４】
低温側目標温度は、補正対象センサの動作補償が求められる低温側の温度である低温側動作補償温度より低い温度で構成することができる。  
高温側目標温度は、補正対象センサの動作補償が求められる高温側の温度である高温側動作補償温度より高い温度で構成することができる。
【００１５】
この発明により、動作補償が求められる温度範囲全てについての補正情報を算出することができる。従って、要求される温度範囲についての動作補償を確実に実行することができる。
【００１６】
またこの発明の態様として、前記補正対象センサが本来出力すべき基準出力と、前記センサ出力と、前記温度出力とに基づいて、前記センサ出力を補正する補正情報を算出する補正情報算出工程を備えることができる。  
これにより、補正対象センサのセンサ出力と、ワークに設けさせた温度センサの温度出力に基づく精度の良い補正情報を算出することができる。
【００１７】
またこの発明は、補正情報作成指示の入力を受け付ける入力手段と、補正の対象となるセンサ出力を行う補正対象センサと、前記センサ出力の出力時に温度出力を行う温度センサと、前記補正情報作成指示が入力された場合に前記センサ出力と前記温度出力とを取得する出力取得手段と、前記センサ出力を前記温度出力に応じて補正する補正情報を記憶する記憶手段と、前記補正情報作成指示が入力されていない場合に前記補正対象センサによるセンサ出力に前記補正情報による補正をかける補正実行手段とを備えた検出装置であることを特徴とする。
【００１８】
前記補正情報は、検出装置に備えた補正情報算出手段により算出する、あるいは、前記出力取得手段で取得したセンサ出力と温度出力とを外部に出力して外部装置により算出することができる。外部装置により算出した場合は、算出した補正情報を外部装置から検出装置内の記憶手段に登録するとよい。
【００１９】
この発明により、温度に対応して補正対象センサの出力を補正する補正情報を短時間で取得することができる。つまり、連続的に温度を変化させてその間に温度出力とセンサ出力を取得するため、従来のように一定温度で安定させる必要がなく、この一定温度で安定させるために要していた時間を短縮することができる。
【００２０】
この発明の態様として、前記温度センサを前記補正対象センサの近傍に備えることができる。  
これにより、補正対象センサの実温度との誤差を極力排除することができる。
【００２１】
またこの発明の態様として、前記補正対象センサが本来出力すべき基準出力と、前記センサ出力と、前記温度出力とに基づいて、前記補正情報を算出する補正情報算出手段を備えることができる。  
これにより、検出装置が自身で補正情報を算出して登録することができ、各検出装置によって個別に算出してカスタマイズした補正情報を容易に登録できる。
【発明の効果】
【００２２】
この発明により、センサの温度特性に対応してセンサの出力値を補正する補正情報を短時間で取得することができる。
【発明を実施するための最良の形態】
【００２３】
この発明の一実施形態を以下図面と共に説明する。  
【実施例１】
【００２４】
図１は、自動車のステアリングシャフトＳに取り付けた回転角度検出装置１の横断平面図を示し、図２は回転角度検出装置１のＡ−Ａ矢視断面図を示す。
【００２５】
回転角度検出装置１は、ステアリングシャフトＳに取り付けられるロータ８と、該ロータ８に２つのステー５を介して取り付けられるセンシング部６と、４つの固定コア１３と、これらの固定コア１３に近接配置された４つの温度センサ１７と、回路基板２３と、これらを収納するケース２（図２参照）とで構成されている。
【００２６】
ケース２は、上ケース３と下ケース４とで構成されている。  
センシング部６は、アルミ、銅、銀、真鍮などの導電性を有する金属により、幅が連続的に変化するリング形状に形成されている。
【００２７】
固定コア１３は、コアホルダ１１によってケース２に固定されており、前記センシング部６の上下に２つの固定コア１３が対向配置されている。この固定コア１３は、内部に励磁コイル１４とコア本体１５とを有しており、対向配置された２つの固定コア１３の励磁コイル１４に交流励磁電流が流されると、励磁コイル１４が周囲に交流磁界を形成し、対向するコア本体１５同士が共同して磁気回路を形成する。ここで、励磁コイル１４による磁束がセンシング部６を横切ると、センシング部６の表面に渦電流が誘起され、各固定コア１３内の励磁コイル１４のインピーダンスが変化する。このインピーダンスの変動量は、固定コア１３に対応するセンシング部６の面積により変動する。これにより励磁コイル１４は、インピーダンスの変動により出力値が変化するコイル出力信号を回路基板２３の回転角度検出回路１６（図１参照）に送信する。
【００２８】
回転角度検出回路１６は、発振部、位相シフト部、位相シフト量検出部、コンバート部、及び信号処理部で構成されている。この回転角度検出回路１６は、発振部から入力された特定周波数の発振信号の位相をセンシング部６の渦電流の大きさに応じて位相シフト部でシフトし、この位相シフト量を位相シフト量検出部で検出してコンバート部でパラメータに変換し、このパラメータから信号処理部で回転角度を検出して、検出した回転角度を制御部２５に送信する。これにより、回転角度検出回路１６は、励磁コイル１４のコイル出力信号に基づいてロータ８の回転角度を検出できる。
【００２９】
温度センサ１７（図２参照）は、固定コア１３に直接取り付けられており、固定コア１３の温度を検出して温度出力信号を回路基板２３の制御部２５に送信する。この温度センサ１７は、補正対象のセンサである励磁コイル１４と同一の素材で構成することが好ましい。これにより、出力の温度依存性をほぼ等しくすることができる。
【００３０】
回路基板２３は、励磁コイル１４のコイル出力信号に基づいてロータ８の回転角度を検出する回転角度検出回路１６と、各種制御動作と情報の記憶を行う制御部２５とが搭載されている。回転角度検出回路１６には励磁コイル１４が電気的に接続されている。制御部２５には、回転角度検出回路１６および温度センサ１７が電気的に接続されている。
【００３１】
この制御部２５は、メモリ２６（後述の図３参照）に記憶されているプログラムに従って、回転角度検出回路１６が出力する回転角度信号を、制御部２５のメモリ２６内に記憶している補正情報と、温度センサ１７が出力する温度出力信号とに基づいて補正する補正処理も実行する。
【００３２】
また、この制御部２５は、メモリ２６に記憶されているプログラムに従って、外部から補正情報作成指示を受け付けると、回転角度検出回路１６が出力する回転角度信号と温度センサ１７の温度出力信号とを取得し、この回転角度信号と本来出力されるべき基準信号の差と、温度出力信号とを対応付けて補正情報としてメモリ２６に記憶する補正情報作成処理も実行する。
【００３３】
ここで基準信号は、常温で励磁コイル１４が出力するコイル出力信号に基づいて回転角度検出回路１６が出力する回転角度信号を採用すると良い。なお、予め制御部２５のメモリ２６に本来出力されるべき回転角度信号を登録しておき、この回転角度信号を基準信号として採用してもよい。
【００３４】
図３は、恒温槽３５内で回転角度検出装置１の温度変化による出力変化を取得して出力値を調整するセンサ調整システム３０のブロック図を示す。
【００３５】
このセンサ調整システム３０は、恒温槽３５と、コントローラ３３と、温度調整装置３１とで構成されている。
【００３６】
温度調整装置３１は、コントローラ３３から受信する温度調整信号に従って、恒温槽３５内の雰囲気温度を連続的に下降および上昇させ、必要に応じて雰囲気温度を一定温度に維持する。
【００３７】
コントローラ３３は、内部に記憶されているプログラムに従って、温度調整装置３１を制御して恒温槽３５内の雰囲気温度を変化させる温度調整処理と、複数接続されている各回転角度検出装置１に補正情報の作成を指示する補正情報作成指示処理とを実行する。
【００３８】
回転角度検出装置１は、インターフェース２４を介してコントローラ３３に接続され、コントローラ３３から、補正情報作成指示信号を受信し、電力供給も受ける。この回転角度検出装置１は、制御部２５が、前記補正情報作成指示信号に従って、上述した補正情報作成処理を実行する。
【００３９】
図４は、回転角度検出装置１の制御部２５が実行する補正情報作成処理のフローチャートを示す。
【００４０】
制御部２５は、コントローラ３３からインターフェース２４を介して補正情報作成指示信号を受信すると、励磁コイル１４のコイル出力信号に基づいて回転角度検出回路１６から回転角度信号を取得し、温度センサ１７から温度出力信号を取得する（ステップＳ１）。この回転角度信号と温度出力信号の取得は同時もしくはほぼ同時に実行する。このほぼ同時とは、回転角度信号の取得と温度出力信号の取得とを、時間間隔をそれほどあけずに順番に実行することを差す。
【００４１】
制御部２５は、メモリ２６に記憶している基準信号を読み出し（ステップＳ２）、この基準信号と前記回転角度信号とに基づいて補正値を算出する（ステップＳ３）。この補正値は、回転角度信号と補正値を加算あるいは減算すれば前記基準信号となる単純な値、あるいは適宜の計算式に用いる係数で構成することができる。
【００４２】
制御部２５は、算出した補正値をメモリ２６に登録し（ステップＳ４）、補正情報作成処理を終了する。
【００４３】
図５は、センサ調整システム３０のコントローラ３３が実行するセンサ調整処理のフローチャートを示す。
【００４４】
コントローラ３３は、回転角度検出装置１に基準信号登録指示信号を送信し、基準信号をメモリ２６に登録させる（ステップＳ１０）。このとき、回転角度検出装置１の制御部２５は、励磁コイル１４のコイル出力信号に基づいて回転角度検出回路１６から回転角度信号を取得し、この回転角度信号を常温での基準信号としてメモリ２６に登録する。
【００４５】
コントローラ３３は、回転角度検出装置１に補正情報作成指示信号を送信し、補正情報作成処理を実行させる（ステップＳ１１）。このとき、恒温槽３５の雰囲気温度は、図６のタイミングチャートに示すように常温であり、この常温のタイミングＴ１で補正情報作成処理を実行させる。
【００４６】
コントローラ３３は、温度調整装置３１に温度調整信号を送信し、恒温槽３５の雰囲気温度を、回転角度検出装置１の低温側動作補償温度（例えば−４０℃）より少し低い温度である低温側目標温度（例えば−４２℃〜−５０℃の任意の温度）まで下降させる（ステップＳ１２）。
【００４７】
コントローラ３３は、回転角度検出装置１の温度が低温側動作補償温度以下の温度で安定するまで（ステップＳ１３：ＮＯ）、恒温槽３５の雰囲気温度を低温側目標温度で維持する。
【００４８】
回転角度検出装置１の温度が安定すれば（ステップＳ１３：ＹＥＳ）、コントローラ３３は、回転角度検出装置１に補正情報作成指示信号を送信し、補正情報作成処理を実行させる（ステップＳ１４）。このとき、恒温槽３５の雰囲気温度は、図６のタイミングチャートに示すように低温側動作補償温度より少し低い温度であり、回転角度検出装置１の温度がこの温度に安定したタイミングＴ２で補正情報作成処理を実行させる。
【００４９】
コントローラ３３は、温度調整装置３１に温度調整信号を送信し、恒温槽３５の雰囲気温度が一定の温度上昇直線に沿って上昇するように、雰囲気温度を連続的に上昇させる（ステップＳ１５）。
【００５０】
コントローラ３３は、予め定められた測定時間（例えば１０分間隔などの一定時間）が経過するまで待機し（ステップＳ１６：ＮＯ）、測定時間が経過すると（ステップＳ１６：ＹＥＳ）、回転角度検出装置１に補正情報作成指示信号を送信し、補正情報作成処理を実行させる（ステップＳ１７）。このとき、恒温槽３５の雰囲気温度は、図６のタイミングチャートに示すように低温側目標温度から高温側目標温度の間で連続的に変化しており、この間のタイミングＴ３で補正情報作成処理を実行させる。ここで、高温側目標温度とは、回転角度検出装置１の高温側動作補償温度（例えば１００℃）より少し高い温度（例えば１０２℃〜１１０℃の任意の温度）である。
【００５１】
コントローラ３３は、恒温槽３５の雰囲気温度が高温側目標温度に到達するまでステップＳ１５〜Ｓ１７を繰り返し（ステップＳ１８：ＮＯ）、高温側目標温度に到達すれば(ステップＳ１８：ＹＥＳ)、恒温槽３５の雰囲気温度を高温側目標温度で維持する（ステップＳ１９）。
【００５２】
回転角度検出装置１の温度が高温側動作補償温度以上の温度で安定するために必要な時間が経過すれば（ステップＳ２０：ＹＥＳ）、コントローラ３３は、回転角度検出装置１に補正情報作成指示信号を送信し、補正情報作成処理を実行させる（ステップＳ２１）。このとき、恒温槽３５の雰囲気温度は、図６のタイミングチャートに示すように高温側目標温度であり、回転角度検出装置１の温度が高温側動作補償温度以上の温度に安定したタイミングＴ４で補正情報作成処理を実行させる。
【００５３】
コントローラ３３は、温度調整装置３１に温度調整信号を送信し、恒温槽３５の雰囲気温度を常温まで下降させる（ステップＳ２２）。
【００５４】
雰囲気温度が常温になれば、コントローラ３３は、恒温槽３５の雰囲気温度を常温で維持する（ステップＳ２３）。回転角度検出装置１の温度が常温で安定すると（ステップＳ２４：ＹＥＳ）、コントローラ３３は、回転角度検出装置１に補正情報作成指示信号を送信し、補正情報作成処理を実行させ（ステップＳ２５）、処理を終了する。このとき、恒温槽３５の雰囲気温度は、図６のタイミングチャートに示すように常温であり、回転角度検出装置１の温度がこの常温に安定したタイミングＴ５で補正情報作成処理を実行させる。
【００５５】
なお、この実施形態では、ステップＳ１６〜Ｓ１７による補正情報の作成と登録を、低温側目標温度から高温側目標温度まで上昇させる間に実行したが、これに限らず、常温から低温側目標温度まで下降させるまでの間（ステップＳ１２とＳ１３の間）に補正情報の作成と登録を実行する、あるいは高温側目標温度から常温へ下降させるまでの間（ステップＳ２２とＳ２３の間）に補正情報の作成と登録を実行する構成にしてもよい。
【００５６】
また、第１温度としての低温側目標温度から第２温度としての高温側目標温度まで上昇させるのとは逆に、第１温度としての高温側目標温度から第２温度としての低温側目標温度まで下降させ、この間に補正情報の作成と登録を実行する構成にしてもよい。ただし、温度は下降させるより上昇させる方が容易であるため、本実施形態のように上昇させる方が補正情報の作成と登録を効率良く実行できる。
【００５７】
図７は、上述したセンサ調整処理がなされた回転角度検出装置１の制御部２５が実行する回転角度出力処理のフローチャートを示す。
【００５８】
制御部２５は、固定コア１３および回転角度検出回路１６によりロータ８の回転角度を検出して回転角度信号を取得し（ステップＳ３１）、温度センサ１７で固定コア１３の温度を検出して温度出力信号を取得する（ステップＳ３２）。
【００５９】
制御部２５は、メモリ２６から補正情報を取得し（ステップＳ３３）、前記ステップＳ３２で取得した温度出力信号の値に対応する補正値を前記ステップＳ３１で取得した回転角度信号の値に適用して、回転角度を補正する（ステップＳ３４）。
【００６０】
制御部２５は、補正後の回転角度である補正後回転角度を、図示省略する外部出力端子から外部に出力し（ステップＳ３５）、処理を終了する。この外部に出力した補正後回転角度は、例えば回転角度検出装置１が備えられた自動車により利用される。
【００６１】
以上に説明した構成および動作により、回転角度検出装置１内の励磁コイル１４や回転角度検出回路１６の温度特性に対応して回転角度検出回路１６の出力値である回転角度信号を補正する補正情報を短時間で取得することができる。
【００６２】
つまり、低温側目標温度から高温側目標温度まで連続的に温度を変化させることができ、従来のように低温側目標温度と高温側目標温度以外の一定温度で安定するまで温度維持する時間（例えば１温度につき２時間程度）を短縮することができる。
【００６３】
コントローラ３３は、複数の回転角度検出装置１に補正情報作成指示信号を送信するだけで、各回転角度検出装置１が自己の回転角度信号と温度出力信号を取得して補正情報を作成するため、複数の回転角度検出装置１について個別対応した補正情報を同時に作成することができる。従って、高精度な補正情報を短時間で作成することができる。
【００６４】
補正情報は、回転角度検出装置１に搭載されている励磁コイル１４、回転角度検出回路１６、および温度センサ１７に基づいて作成されるため、作成した補正情報と実際に必要な補正に差がなく、高精度な補正情報を作成することができる。
【００６５】
温度センサ１７は、固定コア１３に近接させたため、固定コア１３の実温度と温度センサ１７が検出する温度との差をほぼ無くすことができ、高精度な補正情報を作成することができる。
【００６６】
また、上述した補正情報作成処理と回転角度出力処理とで、同一の温度センサ１７が出力する温度出力信号を用いるため、実用時に出力する回転角度信号について、正しい補正値を確実に適用することができる。
【００６７】
なお、回転角度検出装置１は、インターフェース２４により外部のコントローラ３３から補正情報作成指示の入力を受け付ける構成にしたが、押下ボタンなどの適宜の入力装置を回路基板２３に設け、この入力装置への入力を補正情報作成指示の入力とする構成にしてもよい。
【００６８】
また、タイミングＴ１で取得した情報とタイミングＴ５で取得した情報とを比較して両情報が一致するか否か判定する構成にしてもよい。この場合、判定で一致すれば、センサ調整処理が正しく実行されたことを確認できる。
【００６９】
また、補正情報は、回転角度検出回路１６が出力する回転角度信号を補正する情報として構成したが、励磁コイル１４が出力するコイル出力信号を補正する情報で構成し、補正後のコイル出力信号を回転角度検出回路１６に入力する構成としてもよい。
【００７０】
また、温度センサ１７は、固定コア１３に直接取り付けるのではなく、回路基板２３上の固定コア１３に近い位置に設けても良い。この場合も、励磁コイル１４近傍の温度を検出することができ、固定コア１３内の励磁コイル１４の実温度との誤差を極力排除できる。
【実施例２】
【００７１】
上述した実施例１では、回転角度検出装置１の制御部２５が補正情報作成処理を全て実行する構成としたが、図８のフローチャートに示すように、補正情報の算出処理をコントローラ３３で実行する構成としてもよい。
【００７２】
この場合、ＰＣ（パーソナルコンピュータ）などで構成されるコントローラ３３は、まず回転角度信号および温度出力信号の取得を指示する信号取得指示信号を、インターフェース２４から制御部２５に送信する（ステップＳ４１）。
【００７３】
制御部２５は、信号取得指示信号を受信すると、励磁コイル１４のコイル出力信号に基づいて回転角度検出回路１６から回転角度信号を取得し、温度センサ１７から温度出力信号を取得する（ステップＳ４２）。そして、制御部２５は、取得した回転角度信号および温度出力信号をコントローラ３３に送信する（ステップＳ４３）。
【００７４】
コントローラ３３は、自身に設けられた記憶部（またはメモリ２６、若しくは通信回線で接続されたサーバ等の他の装置の記憶部）に記憶されている回転角度検出装置１の基準信号を読み出し（ステップＳ４４）、この基準信号と前記回転角度信号とに基づいて補正値を算出する（ステップＳ４５）。
【００７５】
そして、コントローラ３３は、算出した補正値を前記温度出力信号に対応する補正値として登録するように指示する補正値登録指示信号を制御部２５に送信する（ステップＳ４６）。  
制御部２５は、受信した補正値をメモリ２６に登録し（ステップＳ４７）、補正情報作成処理を終了する。
【００７６】
その他の構成および動作は、実施例１と同一であるので、その詳細な説明を省略する。
【００７７】
以上の処理により、回転角度検出装置１のメモリ２６の容量が少ない場合でも、コントローラ３３で補正値を算出し、算出した補正値をメモリ２６に登録することができる。  
なお、この実施例２では、図５と共に説明した測定のタイミング（ステップＳ１１，Ｓ１４，Ｓ１７，Ｓ２１，Ｓ２５）の都度に補正値を算出してメモリ２６に登録する構成としたが、メモリ２６への登録は最後にまとめて行う構成としてもよい。この場合でも、メモリ２６に補正値を登録することができる。
【００７８】
この発明の構成と、上述の実施形態との対応において、
この発明のワークおよび検出装置は、実施形態の回転角度検出装置１に対応し、
以下同様に、
補正対象センサは、励磁コイル１４に対応し、
出力取得手段は、ステップＳ１を実行する制御部２５に対応し、
入力手段は、インターフェース２４に対応し、
補正情報算出手段は、ステップＳ３を実行する制御部２５に対応し、
補正実行手段は、ステップＳ３１〜Ｓ３５を実行する制御部２５に対応し、
記憶手段は、メモリ２６に対応し、
センサ出力取得工程および温度出力取得工程は、ステップＳ１に対応し、
補正情報算出工程は、ステップＳ３に対応し、
センサ出力は、回転角度信号に対応し、
温度出力は、温度出力信号に対応し、
基準出力は、基準信号に対応し、
所定範囲は、低温側目標温度から高温側目標温度に対応し、
補正情報作成指示は、補正情報作成指示信号に対応するも、
この発明は、上述の実施形態の構成のみに限定されるものではなく、多くの実施の形態を得ることができる。
【図面の簡単な説明】
【００７９】
【図１】ステアリングシャフトに取り付けた回転角度検出装置の横断平面図。
【図２】回転角度検出装置のＡ−Ａ矢視断面図。
【図３】センサ調整システムのブロック図。
【図４】補正情報作成処理のフローチャート。
【図５】センサ調整処理のフローチャート。
【図６】温度変化と補正情報取得のタイミングチャート。
【図７】回転角度出力処理のフローチャート。
【図８】従来の温度変化と補正情報取得のタイミングチャート。
【図９】実施例２の補正情報作成処理のフローチャート。
【符号の説明】
【００８０】
１…回転角度検出装置
１４…励磁コイル
１６…回転角度検出回路
１７…温度センサ
２４…インターフェース
２５…制御部
２６…メモリ
【図１】
2007292738.tif 000003
【図２】
2007292738.tif 000004
【図３】
2007292738.tif 000005
【図４】
2007292738.tif 000006
【図５】
2007292738.tif 000007
【図６】
2007292738.tif 000008
【図７】
2007292738.tif 000009
【図８】
2007292738.tif 000010
【図９】
2007292738.tif 000011